(57)【要約】【課題】本体とカバーとをそれぞれの内外周のネジにより接合し、カバーの芯回りの回転を規制する回転止めストッパを有する水栓において、ストッパ外れの事象を大きな形状変更ない改善だけで、カバーの回転止めを確実なものにすることを目的とする。【解決手段】流体の入口と出口及びこれらを連通させる通水路を備え更に通水路に弁要素を設けた本体と、弁要素に連接した操作手段の一部が貫通して本体に連結するカバーと、カバーと本体との間にカバーの芯回りの回転を規制するストッパとを備え、本体及びカバーをそれぞれの内外周に形成したネジによって接合し、ストッパが本体に対して上方向に着脱自在であってカバーに対する周方向の移動を規制する係合関係を有する水栓において、ストッパの本体側下方に設けた１つ又は複数の突起を、カバーに設けた前記突起と嵌合する凹部によりストッパのカバーに対する上方向の移動を規制することとした。【選択図】図５
2005083070.tif 000002
【特許請求の範囲】
【請求項１】
流体の入口と出口及びこれらの入口と出口を連通させる通水路を備え更に該通水路に弁要素を設けた本体と、
前記弁要素に連接した操作手段の一部が貫通して前記本体に連結するカバーと、
前記カバーと前記本体との間に、前記カバーの前記本体に対する芯回りの回転を規制する回転止めストッパとを備え、
前記本体及びカバーをそれぞれの内外周に形成したネジによって接合し、前記ストッパが前記本体に対して上方向に着脱自在であって前記カバーに対する周方向の移動を規制する係合関係を有する水栓において、
前記ストッパの本体側下方に設けた１つ又は複数の突起と前記カバーに設けた前記突起と嵌合する凹部とにより、前記ストッパの前記カバーに対する上方向の移動を規制することを特徴とした水栓用カバーの回転止め機構。
【発明の詳細な説明】
【技術分野】
【０００１】
本発明は、単水栓やシングルレバー式の湯水混合水栓及びその他各種の水栓に用いられるカバーの回転止め構造に関する。
【背景技術】
【０００２】
シングルレバー式の湯水混合水栓は、本体内部の流路中に２枚のディスク状の弁板を重ね合わせ、一方の弁板を固定式とすると共に他方の弁板を操作のレバーに連接した可動式としたものである。そして、固定側の弁板に対する可動側の弁板の位置をレバーによって変え、これらの弁板に開けた孔の整合度に応じて湯と水の混合比の設定及び流量の調整を可能としている。
【０００３】
この湯水混合水栓は、カートリッジ式のブロックの下端に位置する固定弁板をパッキンによって本体側にシール接合し、ブロックを本体の上端に固定するカバーによって保持したものである。
【０００４】
カバーはその下端部の内周に形成した雌ネジを本体の上端内周の雄ネジにねじ
込んで固定され、カートリッジ式のブロックを拘束して固定する。そして、この固定だけでなく、固定弁板と本体側との間に組み込むパッキンを適正に圧縮してシール圧を確保させることもカバーの持つ重要な役目である。
【０００５】
カバーの緩みが発生すると、固定弁板と本体側との間のパッキンのシール圧も不足して漏水を招く恐れがある。
それらを解決するため、弁要素を内蔵した本体とカバーとをそれぞれの内外周のネジによって接合する水栓において、カバーの回り止めを確実にすること、かつその機構は工具不要な組立て分解を可能とする、例えば、特許文献１の回り止め機構を採用した。
【０００６】
また、この回り止め機構は出荷時や輸送時の通常使用であれば問題ない機構であったが、ごくまれに落下等による衝撃や激しい揺れ等によりストッパが外れてしまう事象が生じたため、さらに最終対策として、スペーサー、止めバネ部品の追加、カバーへの複雑な加工の追加、それら部品の組み付け方法の複雑化を加えることで、回り止め部品の外れに対し対策を行っていた。
【０００７】
図８の（ａ）は最終対策を示した分解斜視図、図８の（ｂ）は組み付け状態の斜視図である。
既存形状のストッパ１３を本体側に組み込んだ後、新規部品としてスペーサー１４と止めバネ１５を組み込むものである。
止めバネ１５は引っかけ部１５ａと腕部１５ｂをカバー４の内面に設けた固定溝４ｄに嵌め込み、ストッパ外れの力に対し止めバネ１５により支える構造であった。止めバネ１５の嵌め込み方は２本の腕部を同時に内側に折り曲げ挿入し、バネの円周側への反発力によりカバーの固定溝４ｄに嵌める。この時、スペーサー１４はストッパ１３の抜けに対する力を止めバネ１５に均等に伝える役割を果たす。また、カバー４の内面固定溝４ｄは形状がアンダーとなるため、カバーの材料に関係なく後加工を要するものであった。
【特許文献１】特開平８−１３５５８号公報
【発明の開示】
【発明が解決しようとする課題】
【０００８】
カバーをネジ接合で本体側に連結するのみでは工場出荷の段階では適切な締め付け強度で連結されていても、振動やその他の外力等によってネジ接合が緩んでしまう可能性があり、その緩みは固定弁板と本体側との間のパッキンのシール圧不足を招き漏水に至る問題があった。
【０００９】
その問題を解消するため、弁要素を内蔵した本体とカバーとをそれぞれの内外周のネジによって接合し、カバーの芯回りの回転を規制する回転止めストッパを有する水栓であったが、ごくまれに落下等による衝撃や激しい揺れ等によりストッパが外れてしまう不具合、またストッパ設置状態での大きな力が加わることでストッパが外れてしまう不具合が発生していた。
それに対し部品点数の追加、カバーの複雑な加工の追加、組み付け方法の複雑化が発生するが、ストッパ外れに対し絶対的な効果を発揮する最終対策にて対応していたが、コストアップ、組み付けにくさ、そして何より大幅な変更によるお客様への不安を生じさせる結果となった。
【００１０】
本発明においては、上記問題点を鑑みなされたものであり、弁要素を内蔵した本体とカバーとをそれぞれの内外周のネジにより接合し、カバーの芯回りの回転を規制する回転止めストッパを有する水栓において、ストッパ外れの事象を大きな形状変更ない改善だけで、水栓用カバーの回り止め機構を確実なものにすることを目的とする。
【課題を解決するための手段】
【００１１】
本発明は、流体の入口と出口及びこれらの入口と出口を連通させる通水路を備え更に該通水路に弁要素を設けた本体と、前記弁要素に連接した操作手段の一部が貫通して前記本体に連結するカバーと、前記カバーと前記本体との間に、前記カバーの前記本体に対する芯回りの回転を規制する回転止めストッパとを備え、前記本体及びカバーをそれぞれの内外周に形成したネジによって接合し、前記ストッパが前記本体に対して上方向に着脱自在であって前記カバーに対する周方向の移動を規制する係合関係を有する水栓において、前記ストッパの本体側下方に設けた１つ又は複数の突起と前記カバーに設けた前記突起と嵌合する凹部とにより、前記ストッパの前記カバーに対する上方向の移動を規制することを特徴とした水栓用カバーの回転止め機構とした。    
【発明の効果】
【００１２】
これにより、落下等の衝撃や激しい揺れによるストッパの外れ、ストッパ設置状態でメンテ等の理由によりカバーを回転方向に無理に回そうとした場合のストッパ外れ、と言ったカバーに対する上方向の抜け力の作用に対するストッパ外れ事象を軽減させる事を可能となる。
【００１３】
また、この外れ防止による施策方法を用いれば、最終対策前の状態と見た目上ほとんど変わらない状態で抜けに対する効果を増加させ、部品点数の追加、複雑な加工の追加、組み付け方法の複雑化を行う必要がなくなる。
【００１４】
更に、簡単な形状変更、同等の機構であるため、ストッパに工具掛り用の逃げ面を現行品同様に設けることが可能であるため、ストッパがカバーの中に落とし込まれる構造としても、ストッパを外すときにはこの逃げ面を利用して簡単に取り出すことができ、保守点検時の容易さを維持している。
【発明を実施するための最良の形態】
【００１５】
まず、本発明に関わる湯水混合水栓の構造について説明する。
図１は湯水混合水栓の側面縦断面図、図２は給水管及び給湯管との流路の接続構造を示す要部の正面縦断面図である。
【００１６】
図１において、湯水混合水栓の本体は、管材を素材とした２個の外郭材１，２，その内部に収納し合成樹脂製の本体３及びこの本体３の上端に一体化したカバー４とによって構成されている。
【００１７】
本体３の下端には、図２に示すように給水管５ａ及び給湯管５ｂが供給管として接続され、本体３の内部に組み込まれるカートリッジ式のハウジング６に収納した弁要素の動作により、水と湯の混合水が本体３の周りと外郭材２の間に流下し、外郭材２に一体的に構成された吐水管２ａから吐出される。
【００１８】
ハウジング６の下端には、給水管５ａ及び給湯管５ｂからの流路を接続するための接続座６ａを設け、図２に示すように、この接続座６ａには水用孔６ｂ及び湯用孔６ｃをそれぞれ開けると共に、混合水流出孔６ｄ（図１参照）を設ける。また、ハウジング６の上端側には、内蔵する弁要素をその可動範囲内で保持するリテーナブロック６ｅを差し込んで固定すると共に、トップブロック６ｆを一体に連結する。
【００１９】
ハウジング６の内部であって接続座６ａの上面には固定弁板７を定位置に組み込んで固定し、この固定弁板７の上には可動弁板８を重ね合わせて配置し、この可動弁板８を固定弁板７に対して摺動可能とする。
【００２０】
図３の（ａ）及び（ｂ）はそれぞれ固定弁板７及び可動弁板８の平面図であって、これらの弁板７，８はセラミックスを素材としたものである。
【００２１】
固定弁板７は、給水管５ａと給湯管５ｂに連通する水用孔７ａと湯用孔７ｂとを開け、更にハウジング６の混合水流出孔６ｄに連通可能な混合水用孔７ｃを開ける。
一方、可動弁板８は、図３において上下方向の移動及び旋回動作によって水用孔７ａ及び湯用孔７ｂを全て閉じたりまたは部分的に開いたりできるような平面形状を持ち、中央には混合水用孔７ｃに整合可能な連絡孔８ａを開けたものである。
【００２２】
図４は固定弁板７の上に可動弁板８を重ねたときの平面図である。
【００２３】
図４の（ａ）の状態では、固定弁板７の水用孔７ａ及び湯用孔７ｂの両方に可動弁板８が被さり、給水側及び給湯側からの流路を遮断して止水している。そして、可動弁板８がこのままの姿勢で図において上側に移動していくと、図４の（ｂ）のように水用孔７ａ及び湯用孔７ｂが開いていき、水側と湯側とを同じ弁開度で開いていく。これによって、湯と水との量比を１：１として連絡孔８ａから混合水流出孔６ｄへ向かう混合水の量を弁開度に応じて増加させ、混合水の流量を設定することができる。
【００２４】
また、図４の（ｃ）は図４の（ｂ）の開弁位置にある可動弁板８をその芯周りに反時計方向に回転させた状態である。このときには、水用孔７ａのみが開く一方湯用孔７ｂは全閉となり、水のみが吐水管２ａ側へ供給される。また、可動弁板８を逆に時計方向に回転させると、図４の（ｃ）の可動弁体８が左右対称の姿勢となり、湯用孔７ｂのみを開く。
【００２５】
更に、図４の（ｃ）の状態から可動弁板８を斜め右下に真っ直ぐに引き下げると、可動弁板８によって水用孔７ａ及び湯用孔７ｂが両方とも閉じられ、止水状態に戻る。
【００２６】
このような可動弁板８の動きは、カバー４の上端から突き出たレバー９によって操作される。そして、図１に示すように、レバー９と可動弁板８との間には、シフタ９ａを組み込んで互いを連接し、レバー９の操作力をシフタ９ａを介して可動弁板８に伝達可能とする。
【００２７】
図２に示すように、外部材２の下端部には、給水管５ａ及び給湯管５ｂに連通する水及び湯の供給路３ａ，３ｂを設ける。これらの供給路３ａ，３ｂの流路端は、ハウジング６に固定した接続座６ａの水用孔６ｂ及び湯用孔６ｃにそれぞれ同軸上で整合する位置関係となるように形成し、これらの供給路３ａ，３ｂと孔６ｂ，６ｃとをそれぞれシール環１０によって接続する。このシール環１０はゴム又は軟質の合成樹脂を素材とした円筒状であり、供給路３ａ，３ｂの内周に設けた段部３ｃ，３ｄとの間に介装したスプリング１１によって固定弁板７側へ付勢されている。
【００２８】
また、本体３を外郭材２に対してシール接合するため、本体３の外周面に設けた保持溝３ｅ，３ｆにはＵ字状断面の２本のパッキン１２ａ，１２ｂを設ける。
【００２９】
外郭材１，２と一体化される本体３は、シール環１０と固定弁板７との間が適切な力で接合されるように、カバー４によって圧下保持されると共に、このカバー４は本体３に対して回り止めされる。
【００３０】
以上説明した湯水混合水栓に適用した本発明の回転止め機構について説明する。
図５はこの圧下保持と回り止めのための回転止め機構を示す分解斜視図、図６はストッパを本体側に組み付けた状態での断面図である。
【００３１】
本体３の上端側の外周には雄ネジ３ｈを設けると共に、半径方向に対向する２か所には切欠３ｉを備える。一方、カバー４の下端側の内周にはこの雄ネジ３ｈに螺合する雌ネジ４ａを設けると共に、上端側の内周にはスプライン４ｂを備えている。また、前記スプライン部４ｂの下端には一部又は全周に凹部４ｃを加工している。
【００３２】
トップブロック６ｆを上端に連結して一体としてハウジング６は本体３の上端に嵌め込まれ、中央にシフタ９ａの連接孔６ｇを開けるとともに、その近傍に拘束突起６ｈを立ち上げ、更に外周面には本体３の切欠３ｉに嵌まり込む係合突起６ｉを形成したものである。
【００３３】
また、本体３を組み込んだときにその芯回りの回転を防ぐためのストッパ１３を備える。このストッパ１３は、シフタ９ａを通すための開口１３ａを備えると共にその内周部分にトップブロック６ｆの拘束突起６ｈが嵌まり込む切欠１３ｂを形成したものであり、外周面にはカバー４のスプライン４ｂに係合するスプライン１３ｃを備えている。
スプライン１３ｃの本体側下方外周方向には突起部１３ｅを設け、カバー４を本体３に組み付け後、凹部４ｃに嵌め込む構造である。また、ストッパ１３の外周部分の一部は直線状に切欠した逃げ面１３ｄとしこの逃げ面１３ｄを工具掛りとして利用する。突起部１３ｅは１つであるが複数設けても良い。
【００３４】
本体３の回りに外郭材１，２を外挿した後には、ハウジング６をトップブロック６ｆの係合突起６ｉが本体３の切欠３ｉに嵌まり込むようにして被せ、カバー４の雌ネジ４ａと本体３の雄ネジ３ｈを螺合することによって、これらを結合する。このとき、図１に示すようにカバー４がトップブロック６ｆの上面を圧下してハウジング６を下側に押し付け、シール環１０と固定弁板７の下面との間が強固に接合される。
【００３５】
ストッパ１３とカバー４との組み合わせは、先にストッパ１３の下端外周方向の突起部１３ｅをカバー４の凹部４ｃに嵌め込んだ後、カバー４のスプライン４ｂの中に落とし込み、ストッパ１３の切欠１３ｂの中に拘束突起６ｈが嵌まり込むようにする。
一方、ハウジング６は係合突起６ｉが本体３の切欠３ｉに嵌まり込んでいるので、ハウジング６は回転を規制されている。そして、ストッパ１３はスプライン４ｂ，１３ｃとの係合によってカバー４を拘束するので、カバー４はストッパ１３及びハウジング６を介して本体３に対して回り止めされた状態になる。
【００３６】
ここで、カバー４による圧下力がシール環１０やスプリング１１に伝達されるので、これらの部材の弾性力を維持することや、水圧によるハウジング６の飛び出しを防止すること、カバー４を合成樹脂製とした場合での強度維持など、カバー４を余り強く締め上げない程度の組立てとすることが好ましい。このように締め上げを緩くしていた場合、もしストッパ１３がなければ、工場出荷から輸送過程で受ける振動等によってカバー４が緩んでしまうことになる。
【００３７】
これに対し、先に説明したように、カバー４はストッパ１３及びハウジング６を介して本体３に対して回り止めされているので、カバー４を本体３に強くねじ込まなくても、カバー４の緩みを防ぐことができる。
【００３８】
このような本体３へのカバー４の連結によって、本体３内のハウジング６は圧下され、その下端の接続座６ａとシール環１０とが接合され、スプリング１１によって接合力が保持される。
【００３９】
ストッパ１３をカバー４の中に嵌め込んだ後に、たとえば分解や組替え等の際にストッパ１３を引き出すときは、外周面の逃げ面１３ｄにドライバ等の工具を掛けてこれを引き上げてこれまでと同様に引き上げることができる。
【００４０】
ストッパ１３の下端外周方向の突起部１３ｅをカバー４の凹部４ｃに嵌め込む構造にする事で、たとえ、回転方向の大きな力によりカバー上方向の抜け力が生じても前記突起部１３ｅが凹部４ｃの上面に当たることで抜けを防ぎ、ストッパ外れに対し格段に効果を発揮する。
【００４１】
以上のように、本体３にネジ接合されるカバー４は回り止めされるので、ネジの緩みの発生がなくカバー４は組立て後には外力が作用しても安定保持される。また、落下時の衝撃や無理に外そうと回したときも係合力と埋め込みの相乗効果によりストッパ１３は外れにくくなるため、工場出荷から現場据え付けまでの間、安定して使用する事ができる。また、ハウジング６への拘束力も安定維持されるので、固定弁板７と本体３との間のシール環１０のシール圧も適切に維持され、漏水等を発生することもない。
【００４２】
図７は本発明のストッパ１３に追加で凸部分を設けたシングルレバー式の湯水混合水栓の側面縦断面図である。
【００４３】
なお、弾性部材のストッパ１３に設けた突起部１３ｅとは別の円周箇所に小さい凸部１３ｆを設けることで、ストッパ１３の突起部１３ｅをカバー４の凹部４ｃに挿入した後、カバー４のスプライン４ｂの突起にカバー４の外周に設けた凸部１３ｆを接触させ、一部形状を変形させながらカバー４の凹部４ｃに嵌合させることで、ストッパ１３の抜けに対し一層の効果を得ることも可能である。
【００４４】
前記ストッパ外れの防止対策により、最終対策の様な部品点数の追加、カバーの複雑な加工の追加、組み付け方法の複雑化、そして何より大幅な変更によるお客様の不安を解消でる。なお、対策前との形状変化のなさは、現状と同様の保守点検時の容易さを維持できており、本発明は非常有効な手段となる。
【図面の簡単な説明】
【００４５】
【図１】本発明に関わる湯水混合水栓の側面縦断面図である。
【図２】図１の湯水混合水栓の要部を示す正面縦断面図である。
【図３】弁板である固定弁板及び可動弁板の平面図である。
【図４】湯水を混合する際の固定弁板と可動弁板との位置関係を示す平面図である。
【図５】本発明の実施例を示す分解斜視図である。
【図６】本発明の実施例を示す側面縦断面図である。
【図７】本発明の他の実施例を示す側面縦断面図である。
【図８】最終対策品の分解斜視図及びそれらを組み付けた斜視図である。
【符号の説明】
【００４６】
１      外郭材
２      外郭材
２ａ    吐水管
３      本体
３ａ、３ｂ  供給路
３ｃ、３ｄ  段部
３ｅ、３ｆ  保持溝
３ｈ    雄ネジ
３ｉ    切欠
４      カバー
４ａ    雌ネジ
４ｂ    スプライン
４ｃ    凹部
４ｄ    固定溝
５ａ、５ｂ  給水管
６      ハウジング
６ａ    接続座
６ｂ    水用孔
６ｃ    湯用孔
６ｄ    混合水流出孔
６ｅ    リテーナブロック
６ｆ    トップブロック
６ｇ    連接孔
６ｈ    拘束突起
６ｉ    係合突起
７      固定弁板
７ａ    水用孔
７ｂ    湯用孔
７ｃ    混合水用孔
８      可動弁板
８ａ    連絡孔
９      レバー
９ａ    シフタ
１０    シール環
１１    スプリング
１２ａ  パッキン
１２ｂ  パッキン
１３    ストッパ
１３ａ  開口
１３ｂ  切欠
１３ｃ  スプライン
１３ｄ  逃げ面
１３ｅ  突起
１３ｆ  凸部
１４    スペーサー
１５    止めバネ
１５ａ  引っかけ部
１５ｂ  腕部  
【図１】
2005083070.tif 000003
【図２】
2005083070.tif 000004
【図３】
2005083070.tif 000005
【図４】
2005083070.tif 000006
【図５】
2005083070.tif 000007
【図６】
2005083070.tif 000008
【図７】
2005083070.tif 000009
【図８】
2005083070.tif 000010